(57)【要約】【課題】車両の内部に設けられた加飾部品の加飾が変更できる機能を提供すること。【解決手段】車両の内装部材に固定された基材と、当該基材上設けられ所定の加飾を施された加飾部材と、を備えた加飾部品において、前記基材が内装部材へ固定された後、前記加飾部材の加飾が適宜変更できるよう加飾変更機能が付加されていることを特徴とする加飾部品。【選択図】図１
2012240502.tif 000002
【特許請求の範囲】
【請求項１】
車両の内装部材に固定された基材と、
当該基材上設けられ所定の加飾を施された加飾部材と、を備えた加飾部品において、
前記基材が内装部材へ固定された後、前記加飾部材の加飾が適宜変更できるよう加飾変更機能が付加されていることを特徴とする加飾部品。
【発明の詳細な説明】
【技術分野】
【０００１】
本発明は、加飾部品の取付構造に関し、詳しくは、車両の内部に加飾部品を取付、配置する機能に関する。
【背景技術】
【０００２】
近年、室内の美観を向上、つまり室内を加飾する目的のために加飾機能を備えた加飾部品を、例えば自動車内におけるインストルメントパネル、アッパーコンソール、ドアトリムもしくはセンタークラスタなどへ取付けられている。加飾部品への加飾方法としては、例えば木目模様を呈するために用いられる本物の木板、および木目模様が印刷されたフィルムなどが存在している。例えば特許文献１においては、本物の木板を複数のＬＥＤ（ｌｉｇｈｔ−ｅｍｉｔｔｉｎｇ  ｄｉｏｄｅ）によって側方から照らし、この光を導光体を介して木板を通過させることにより、木板の木目模様に基づく装飾効果を高めると共に、外部照明が無い状態、例えば夜間においても加飾効果を得ることのできる加飾装置が開示されている。
【先行技術文献】
【特許文献】
【０００３】
【特許文献１】特開２００２−２０５５００号公報
【発明の概要】
【発明が解決しようとする課題】
【０００４】
しかしながら、上述した従来技術では、加飾部品の加飾柄（木板）が取付け後固定されてしまうため、使用者の好みや気分によって加飾部品の柄を変化させたいという要望には答えることができなかった。そこで加飾部品が車両の内部へ取付後、その加飾柄を変更できる機能が求められていた。
【０００５】
本発明は、このような課題を解決しようとするもので、その目的は、車両の内部に取付られた加飾部品に対し、その加飾柄が変更可能な加飾柄変更機能を提供することである。
【課題を解決するための手段】
【０００６】
本発明は、上記の目的を達成するためのものであって、以下のように構成されている。
請求項１に記載の発明は、車両の内装部材に固定された基材と、当該基材上設けられ所定の加飾を施された加飾部材とを備えた加飾部品において、前記基材が内装部材へ固定された後、前記加飾部材の加飾が適宜変更できるよう加飾変更機能が付加されていることを特徴とする構成である。
この構成によれば、所定の加飾が施された加飾部材が、基材を内装部材へ固定した後、使用者の要求によって適宜変更することができる。
【図面の簡単な説明】
【０００７】
【図１】図１は、本発明の実施例１に係る加飾部品の取付構造の図である。
【図２】図２は、本発明の実施例２に係る加飾部品の取付構造の図である。
【図３】図３は、本発明の実施例３に係る加飾部品の取付構造の図である。
【図４】図４は、本発明の実施例４に係る加飾部品の取付構造の図である。
【図５】図５は、本発明の実施例５に係る加飾部品の取付構造の図である。
【図６】図６は、本発明の実施例６に係る加飾部品の取付構造の図である。
【図７】図７は、本発明の実施例７に係る加飾部品の取付構造の図である。
【図８】図８は、本発明の実施例８に係る加飾部品の取付構造の図である。
【図９】図９は、本発明の実施例９に係る加飾部品の取付構造の図である。
【図１０】図１０は、本発明の実施例１０に係る加飾部品の取付構造の図である。
【図１１】図１１は、本発明の実施例１１に係る加飾部品の取付構造の図である。
【図１２】図１２は、本発明の実施例１２に係る加飾部品の取付構造の図である。
【図１３】図１３は、本発明の実施例１３に係る加飾部品の取付構造の図である。
【図１４】図１４は、本発明の実施例１４に係る加飾部品の取付構造の図である。
【図１５】図１５は、本発明の実施例１５に係る加飾部品の取付構造の図である。
【図１６】図１６は、本発明の実施例１６に係る加飾部品の取付構造の図である。
【図１７】図１７は、本発明の実施例１７に係る加飾部品の取付構造の図である。
【図１８】図１８は、本発明の実施例１８に係る加飾部品の取付構造の図である。
【図１９】図１９は、本発明の実施例１９に係る加飾部品の取付構造の図である。
【図２０】図２０は、本発明の実施例２０に係る加飾部品の取付構造の図である。
【図２１】図２１は、本発明の実施例２１に係る加飾部品の取付構造の図である。
【図２２】図２２は、本発明の実施例２２に係る加飾部品の取付構造の図である。
【図２３】図２３は、本発明の実施例２３に係る加飾部品の取付構造の図である。
【図２４】図２４は、本発明の実施例２４に係る加飾部品の取付構造の図である。
【図２５】図２５は、本発明の実施例２５に係る加飾部品の取付構造の図である。
【図２６】図２６は、本発明の実施例２６に係る加飾部品の取付構造の図である。
【図２７】図２７は、本発明の実施例２７に係る加飾部品の取付構造の図である。
【図２８】図２８は、本発明の実施例２８に係る加飾部品の取付構造の図である。
【図２９】図２９は、本発明の実施例２９に係る加飾部品の取付構造の図である。
【図３０】図３０は、本発明の実施例３０に係る加飾部品の取付構造の図である。
【図３１】図３１は、本発明の実施例３１に係る加飾部品の取付構造の図である。
【図３２】図３２は、本発明の実施例３２に係る加飾部品の取付構造の図である。
【図３３】図３３は、本発明の実施例３３に係る加飾部品の取付構造の図である。
【図３４】図３４は、本発明の実施例３４に係る加飾部品の取付構造の図である。
【図３５】図３５は、本発明の実施例３５に係る加飾部品の取付構造の図である。
【図３６】図３６は、本発明の実施例３６に係る加飾部品の取付構造の図である。
【図３７】図３７は、本発明の実施例３７に係る加飾部品の取付構造の図である。
【図３８】図３８は、本発明の実施例３８に係る加飾部品の取付構造の図である。
【図３９】図３９は、本発明の実施例３９に係る加飾部品の取付構造の図である。
【図４０】図４０は、本発明の実施例４０に係る加飾部品の取付構造の図である。
【図４１】図４１は、本発明の実施例４１に係る加飾部品の取付構造の図である。
【図４２】図４２は、本発明の実施例４２に係る加飾部品の取付構造の図である。
【図４３】図４３は、本発明の実施例４３に係る加飾部品の取付構造の図である。
【図４４】図４４は、本発明の実施例４４に係る加飾部品の取付構造の図である。
【図４５】図４５は、本発明の実施例４５に係る加飾部品の取付構造の図である。
【図４６】図４６は、本発明の実施例４６に係る加飾部品の取付構造の図である。
【図４７】図４７は、本発明の実施例４７に係る加飾部品の取付構造の図である。
【図４８】図４８は、本発明の実施例４８に係る加飾部品の取付構造の図である。
【図４９】図４９は、本発明の実施例４９に係る加飾部品の取付構造の図である。
【図５０】図５０は、本発明の実施例５０に係る加飾部品の取付構造の図である。
【図５１】図５１は、本発明の実施例５１に係る加飾部品の取付構造の図である。
【図５２】図５２は、本発明の実施例５２に係る加飾部品の取付構造の図である。
【図５３】図５３は、本発明の実施例５３に係る加飾部品の取付構造の図である。
【図５４】図５４は、本発明の実施例５４に係る加飾部品の取付構造の図である。
【図５５】図５５は、本発明の実施例５５に係る加飾部品の取付構造の図である。
【図５６】図５６は、本発明の実施例５６に係る加飾部品の取付構造の図である。
【図５７】図５７は、本発明の実施例５７に係る加飾部品の取付構造の図である。
【図５８】図５８は、本発明の実施例５８に係る加飾部品の取付構造の図である。
【図５９】図５９は、本発明の実施例５９に係る加飾部品の取付構造の図である。
【図６０】図６０は、本発明の実施例６０に係る加飾部品の取付構造の図である。
【図６１】図６１は、本発明の実施例６１に係る加飾部品の取付構造の図である。
【図６２】図６２は、本発明の実施例６２に係る加飾部品の取付構造の図である。
【図６３】図６３は、本発明の実施例６３に係る加飾部品の取付構造の図である。
【図６４】図６４は、本発明の実施例６４に係る加飾部品の取付構造の図である。
【図６５】図６５は、本発明の実施例６５に係る加飾部品の取付構造の図である。
【図６６】図６６は、本発明の実施例６６に係る加飾部品の取付構造の図である。
【図６７】図６７は、本発明の実施例６７に係る加飾部品の取付構造の図である。
【図６８】図６８は、本発明の実施例６８に係る加飾部品の取付構造の図である。
【図６９】図６９は、本発明の実施例６９に係る加飾部品の取付構造の図である。
【図７０】図７０は、本発明の実施例７０に係る加飾部品の取付構造の図である。
【図７１】図７１は、本発明の実施例７１に係る加飾部品の取付構造の図である。
【図７２】図７２は、本発明の実施例７２に係る加飾部品の取付構造の図である。
【図７３】図７３は、本発明の実施例７３に係る加飾部品の取付構造の図である。
【図７４】図７４は、本発明の実施例７４に係る加飾部品の取付構造の図である。
【図７５】図７５は、本発明の実施例７５に係る加飾部品の取付構造の図である。
【図７６】図７６は、本発明の実施例７６に係る加飾部品の取付構造の図である。
【図７７】図７７は、本発明の実施例７７に係る加飾部品の取付構造の図である。
【図７８】図７８は、本発明の実施例７８に係る加飾部品の取付構造の図である。
【図７９】図７９は、本発明の実施例７９に係る加飾部品の取付構造の図である。
【図８０】図８０は、本発明の実施例８０に係る加飾部品の取付構造の図である。
【図８１】図８１は、本発明の実施例８１に係る加飾部品の取付構造の図である。
【図８２】図８２は、本発明の実施例８２に係る加飾部品の取付構造の図である。
【図８３】図８３は、本発明の実施例８３に係る加飾部品の取付構造の図である。
【図８４】図８４は、本発明の実施例８４に係る加飾部品の取付構造の図である。
【図８５】図８５は、本発明の実施例８５に係る加飾部品の取付構造の図である。
【図８６】図８６は、本発明の実施例８６に係る加飾部品の取付構造の図である。
【図８７】図８７は、本発明の実施例８７係る加飾部品の取付構造の図である。
【図８８】図８８は、本発明の実施例８８係る加飾部品の取付構造の図である。
【図８９】図８９は、本発明の実施例８９に係る加飾部品の取付構造の図である。
【図９０】図９０は、本発明の実施例９０に係る加飾部品の取付構造の図である。
【図９１】図９１は、本発明の実施例９１に係る加飾部品の取付構造の図である。
【図９２】図９２は、本発明の実施例９２に係る加飾部品の取付構造の図である。
【図９３】図９３は、本発明の実施例９３に係る加飾部品の取付構造の図である。
【図９４】図９４は、本発明の実施例９４に係る加飾部品の取付構造の図である。
【図９５】図９５は、本発明の実施例９５に係る加飾部品の取付構造の図である。
【図９６】図９６は、本発明の実施例９６に係る加飾部品の取付構造の図である。
【図９７】図９７は、本発明の実施例９７に係る加飾部品の取付構造の図である。
【図９８】図９８は、車室内の図である。
【発明を実施するための形態】
【０００８】
以下、本発明を実施するための形態を、図面を用いて説明する。
（実施例１）
まず、図９８を参照して、本発明を適用する車室内を説明する。以下の説明にあたって、上、下、前、後、左、右とは、上述した図に記載した、上、下、前、後、左、右の方向、すなわち、車両１を基準にしたときの上、下、前、後、左、右の方向を示している。このことは、後述する全ての実施例においても同様である。
【０００９】
なお、この実施例１では、加飾部品は『車両の内装部材』に設置される。『車両内装部材』としては、図９８に示すようにインストルメントパネル７０があげられる。ただし、当該場所に限らず、『車両内装材』として『オーバーヘッドモジュール、サンバイザー、インストルメントパネル、グラブボックス、センタークラスタ、コンソールボックス、ボックス本体、リッド、ドア、ドアトリム、取っ手、ドアポケット、ハンドル、コンソールアッパー』などがあり、上記の場所全体もしくは一部に適宜設置されてもよい。このことは、後述する全ての実施例においても同様である。したがって、以下に説明する全ての実施例における加飾部品は、指定が無ければインストルメントパネルの場所へ設置すると仮定して説明を行うが、当該場所に限らず上記『車両の内装部材』の場所に適宜設置されている。また基材は、樹脂で成形された成形品であり、当該成形品上に所定の加飾が施された加飾部材が取付けられる。また加飾部材は、例えば木目模様を模した樹脂シートであったり、スパッタなどを用いて金属調に模した樹脂シートであったり、また突板そのものでもよい。また『車両内装部材』そのものを基材とし、加飾部材を取付けて本発明の加飾部品としてもよい。また加飾部材は、以下の実施例では加飾シート、加飾パネル、加飾品などに適宜名称が変更されている。そして加飾変更機能を以下の実施例にて説明する。
【００１０】
図１に示すように、基材に対し、加飾部材である色付きの透明なパネルをかぶせる。基材のパターンが見えて、透明パネルで色を変え雰囲気を変えることができる。この構成によれば、基材が内装部材へ取付後も、加飾部材は基材に対し、取外しが可能となっており使用者の好きな加飾柄（ここでは色味）を変更することが可能となる。例えば前述の加飾部材の加飾とは柄、色、模様、触感などが異なる加飾部材を用意し、基材から取外して交換することが可能となる。以下に説明する全ての実施例における加飾部品で、指定場所の無いものは全て７０の場所に取付けられると仮定する。
【００１１】
次に、図２に示すように、インパネ部品が簡単に外れたら、いけないので液晶フィルムで絵、柄を変更する。
【００１２】
次に、図３に示すように、イストのイルミネーションＢＯＸのように透明な意匠面の裏や間にフィルム（ＢＯＸ意匠）を差し込む、気分に応じてフィルムを交換する。
【００１３】
次に、図４に示すように、透明性のある樹脂材料にて製品を作製し、その中に加飾シート（様々なシートを用意しておく）を入れその日の気分で製品の色を変える。
【００１４】
次に、図５に示すように、アクリルパネルの裏の布を変更して着せ替える。布のみの変更なので安い。
【００１５】
次に、図６に示すように、基材とアクリルの間の紙を替えて意匠の色柄・写真をかえる。
【００１６】
次に、図７に示すように、樹脂に隙間を設け、その隙間に加飾の板を横から入れる。
【００１７】
次に、図８に示すように、シートを入れ替えすることで様々な意匠に対応できるアクリルとアウターに充分な隙を持たせる。アウターとインナーの構造は変更なし。また冬と夏で内装を入れ替えられる。夏は涼しいメッシュ調、冬は暖かいフリースなど。シート、コンソールドア、インパネ表面、ドアトリムなど表皮関係部品をすべて入れ替え。
【００１８】
次に、図９に示すように、ラミネートフィルムの交換をして柄を交換する。
【００１９】
次に、図１０に示すように、Ｇ−ＢＯＸのアウターに写真立てみたいなモニタを入れて写真を取込む事ができる。
【００２０】
次に、図１１、表・裏が別の模様のフィルムにして、裏返しにすると別の柄になる。透明のケースにフィルムを入れて、取り出せるようにする。
【００２１】
次に、図１２に示すように、センタークラスタのスイッチやナビを使わない時は、カバーで隠す。レバーを引張るとレールをつたって閉める（シャッターみたいな）。
【００２２】
次に、図１３で示すように、写真を入れ替えられるフォトフレームパネル。
【００２３】
次に、図１４で示すように、製品に無色透明のカバーを付け、カバーと製品との間に紙や布などの薄い柄パターンを挟むことで見た目を変える。柄を自作できるようにすることで、子供の描いた絵なども使えるようにできる。
【００２４】
次に、図１５で示すように、基材の上に好みの柄や絵をのせ、その上に透明な樹脂を装着し柄がみえるようにする。タンブラー方式である。
【００２５】
次に、図１６で示すように、フィルム、本杢、アルミ等の着せ替えをする為、カバー（透明な樹脂等）に、本杢、フィルム、アルミ等の単板を入れる事で簡単に着せ替えができる。回転構造にすれば、付け替えも楽にできる。
【００２６】
次に、図１７で示すように、Ｐ席側のオーナメント上部にクリヤパネルを設置、クリヤパネルはすぐに外せるようにビス止め、インパネとクリヤパネルの間にユーザーの好みでフィルムや写真等をいれる。
【００２７】
次に、図１８で示すように、オーナメント、スイッチベース等、本来色を合わせるべき所を取外し可能。メタル調、本杢等、自分で変更可（工具使わずに）。
【００２８】
次に、図１９で示すように、丸型のいつも同じスイッチの形状や色をカバーをかぶせてイメージチェンジする。
【００２９】
次に、図２０で示すように、赤外線で収縮なフィルムを後ではり、特殊な液体により膨張し、取り外し可能とする。
【００３０】
次に、図２１で示すように、裏側に粘着材の付いた交換パネル。何度でも貼り変えができ、すぐにでも交換可能。
【００３１】
次に、図２２で示すように、シールからインモールド成形をするときのフィルムみたいな物、金型で形を作る。その後、別体で爪を取り付け。取付け方法は、めくらフタを外し、そこに爪にて取り付けを行う。
【００３２】
次に、図２３で示すように、使い捨て意匠カバー。携帯電話の着せ替えカバーの様に薄いフィルム状のカバーを設定する。固定方法は、各端にクリップを設定する。使い捨て感覚なので耐久性は１ヶ月〜３ヶ月、価格は３０００円〜５０００円程度とすればよい。
【００３３】
次に、図２４で示すように、シフトノブの色と模様の変更。シフトノブの長さが変えられる。
【００３４】
次に、図２５で示すように、子供仕様で絵の入れ替えができる。
【００３５】
次に、図２６で示すように、ソファーカバーのように色柄の入った布などでインパネ、部品の意匠面に被せる（汚れても取り外して洗濯機で丸洗い）。
【００３６】
次に、図２７で示すように、スマートフォンのシリコンカバーのように着せ替えできるようにする。着せ替えたい部品は簡単に取り外せるようにしておく。シリコンカバーに本杢や、スパッタなどを付けられるようにする。
【００３７】
次に、図２８で示すように、ステアリングのクラクションスイッチ部分を着替えできるようにする。柄物、メタリックなどで一ヶ所でも大きく雰囲気を変えることができる。
【００３８】
次に、図２９で示すように、カップホルダを取り換え可能にする。もしくは取り外して、持ち運びできる様にし外でも使える様にする。
【００３９】
次に、図３０で示すように、気分によって色を変えるパネル。三角柱の二面に２色塗ってあり、これが回転できる様になっている。
【００４０】
次に、図３１で示すように、外枠パネルに加飾パネル（表に本杢、裏にアルミ等）のパネルを組み付け回転構造にする。回転させることで、２パターンの加飾が楽しめる。
【００４１】
次に、図３２で示すように、カップホルダなど回転構造の物でカップホルダを開いた状態で加飾のカバーが装着できる。
【００４２】
次に、図３３で示すように、インパネのトリムで、窓のブラインドのような構造で、表と裏に違う加飾にし、着せ替え出来るようにする。半透明のトリムの中にＬＥＤ等の電飾を内蔵しておき、ＬＥＤ点灯時と消灯時で、トリムの見え方が変わるようにしてもよい。
【００４３】
次に、図３４で示すように、ブラインドのように上下できるようにする。
【００４４】
次に、図３５で示すように、手前に出し回転させ、もとにおしもどす（表裏インパネ加飾）。
【００４５】
次に、図３６で示すように、春→夏→秋→冬の四季をイメージしたパネルを季節ごとに着せ替える。
【００４６】
次に、図３７で示すように、加飾パネルを上下２色で作成する。上下反転しても相手物に取付け可能にしておき、目に見える部分の色を変えることができる。
【００４７】
次に、図３８で示すように、インパネ全体に液晶シートを埋め込む事で、液晶に映し出す映像を自由に変える事が出来、デザインを変える事が出来る。デメリットとしては、映像だけなので、触感までは変えられない。ＡＬＬ液晶タッチパネルにて好きな画像にする。ＥＬパネルを埋め込む。
【００４８】
次に、図３９で示すように、オーナメント自体を液晶パネルとし、ＩＧＮオンでメーターと連動して、オープニングを開始。終了後は、自動でシルバーの画像を写し、加飾パネルとする。キーオフでブラックアウトとする。他のパネルでも使用し、デザインを選択できる。パソコンでデザインをダウンロード。スマートフォンかナビでアップロード。
【００４９】
次に、図４０で示すように、クラスターパネル自体にユーザーがはがせるシールを貼り付ける（デコレーション）。シールをはがした時に跡が残りにくいシール（パネルも同様）。
【００５０】
次に、図４１で示すように、意匠面に有機ＥＬを用いる事により、ナビ等からの操作で表示を変更できるようにする。有機ＥＬを使用する事で、動きの有る意匠やダウンロード等による意匠の追加も可能。またタクシー等でＣＭ等を流すという使い方もできる。
【００５１】
次に、図４２で示すように、オーナメントに画像を表示できるようにディスプレイを内蔵し、すきな表示をできるようにする。
【００５２】
次に、図４３で示すように、オーナメント部（パネルでも良い）にフィルム式液晶を張る。絵でも文字でも自由に表示できる。またはがして再使用もできるゲル状の粘着シートを用いてもよい。
【００５３】
次に、図４４で示すように、オーナメントがくるくる回って裏と表で使い分けられる。
【００５４】
次に、図４５で示すように、透明アクリルの中に様々な模様の布がロールで入っている。ロールを回転機構で回すことにより模様が変化。ＢＭＣ、バスの頭や横に付いている行き先明示版。
【００５５】
次に、図４６で示すように、くるくる回転意匠。手元にダイアルがあり、回すとインパネの柄が変わる。ＰＣ、アクリルなど透明パネルの柄が変わる。結果、交換可。
【００５６】
次に、図４７で示すように、透明な樹脂を意匠に設定し、その裏に多種類の模様が付いたロールを設定。ロールが回転することで着せ替えを行う。
【００５７】
次に、図４８で示すように、季節により柄が変えられる。目立ちやすいインパネセンター上部。回転して絵を変える。図４９で示すように、パネルに布がまける。汚したい時はタオルを巻く。
【００５８】
次に、図５０で示すように、加飾部内部にロール状で加飾シートが設定されており、シートをずらすことで着せ替えを行う。
【００５９】
次に、図５１で示すように、文字に色をつけることを考えた。温度の変化によって樹脂そのものの色が変化し、シーズンごとに色を楽しめるようにする。また、その時の温度計の代わりにもなる。
【００６０】
次に、図５２で示すように、環境の変化（気温の変化）色が変わる塗装のインパネ、着せ替え不要。
【００６１】
次に、図５３で示すように、色で変わる樹脂を使い、夏は青く、冬は暖色系に変わるように加飾パネルを設定する。図５４で示すように、透明パネルを、はずして中の紙を入れ替えて加飾を変える。
【００６２】
次に、図５５で示すように、特殊な光（紫外線等）を当てる。車室内のライト点灯。光を当てる前は黒で、光を当てると青になるなど。図５６で示すように、気温でオーナメントの模様が変化。音量（周波数）で模様が変化。
【００６３】
次に、図５７で示すように、朝日、夕日の違いで反射の仕方が変わるパネル。
【００６４】
次に、図５８で示すように、ユーザーがボタンを押し選ぶことにより、光るパターンを変えることが出来る。
【００６５】
次に、図５９で示すように、パネルの内部にＬＥＤを配置。パネルを電気を通す材質にして、ＬＥＤをつけると、パネルが光る。ＬＥＤを何色も配置すれば何通り  にもパネルが光る。図６０で示すように、インパネカバーをアクリル導光板の技術を用いて作製。側面から入れる光によってインパネ色が選べる。
【００６６】
次に、図６１で示すように、シフトインジケータ等の光を何色か切り換え可能にする。色が変化し、気分が変わる。図６２で示すように、センタークラスタのスイッチをスケルトンにして照明の色の着せ替えをする。自分でやれない人が出てくるから面倒くさい。
【００６７】
次に、図６３で示すように、インパネにイルミネーションのようなものをつける。ナビからの設定で、色や光のパターンを変更できるようにする。図６４で示すように、通常はブラックパネル。Ｓ／Ｗで色変更するもしくは、走行状態で自動的に変わる。緑色、エコ走行時。赤色、スポーツ走行時。
【００６８】
次に、図６５で示すように、インパネ内部にＬＥＤ等の光り物の設定。原色（赤、黄、青）を設定するか、フィルム等で色を変更する。また透明な外装をＬＥＤで点燈し、色を変えるてもよい。また光りを透過させる樹脂を用いてもよく。インパネ裏側より通常は青い光をあて安全運転に貢献。スポーツモードに入れると赤色に変わりインパネも赤く発光する。気分によって、場所によって、自由に切換えができる。
【００６９】
次に、図６６で示すように、パネル裏にＬＥＤを配置し、パネルに文字や模様を表示する。ＬＥＤを複数配置し、任意の変更を可能にする。パネルを外すことで、ユーザーが任意に色替え可能。又、用品として、表面範囲をクリアにしておき、光拡散シート等を使用し、ユーザーが自由に設定可能。
【００７０】
次に、図６7で示すように、イルミネーションの色をスイッチ等で変更出来る様にする。また変色塗料を使って樹脂に使用する。紫外線により、消色と発色を繰返す。温度によって変色させるようにしてもよい。図６８で示すように、普段はトレーとして使い、時によってはトレーを立てかけて加飾パネルとしてトレーと用いてもよい。
【００７１】
次に、図６９で示すように、本杢面とアルミ面があり、パネルをひっくりかえすことで着替可能にする。図７０で示すように、加飾をリバーシブルで気分で柄を変えられる。
【００７２】
次に、図７１で示すように、車両装着状態のままスプレーして着色、インパネ（オーナメント）以外には着色されず。水にのみ反応する樹脂、水が付着すると（黒から白）変色する。図７２で示すように、室内配色を数種類層にしておき、ヒンジを使い、回転させる事で、室内配色設定できる。
【００７３】
次に、図７３で示すように、透明でかつ中空の樹脂を成形し、その内部に液体を入れる。液体に電流を流すことで、色の変化する液体を入れることで着せかえを行う。図７４で示すように、布でできたインパネ。布の裏側には形状を表現するワイヤーが走っておりインパネを作り出す（ねぶた祭りみたいなもの）。ボタン１つでワイヤーが変形し、インパネも変形する。
【００７４】
次に、図７５で示すように、コンソールボックスの容量変更可能形状のように、型の入れ子の場所を変更することで、対応可能な形状。図７６で示すように、カローラでは２分割、クラウンではカローラのインパネの分割部分に、別の加飾パネルを入れ、W方向を延長する。L、H方向は小さい方を基準とし、大きい方にはゲタを追加する。図７７で示すように、意匠１つ１つがタイル状でタイルを組み合わせることで、インパネに合った意匠を作る。
【００７５】
次に、図７８で示すように、D席側、CTR、Ｐ席と３部の基本ベースを作成し、ベース取付けを変更せずに意匠を行う。図７９で示すように、基準の方向、位置の変更を可能にする。基準部の根元を回転式にする。基準部をスライドさせる設定にする。図８０で示すように、Ｌ・Ｗ・Ｈ寸法が異なっても対応できるように、物干し竿のような自分で長さを調整できるようにする。図８１で示すように、オーディオの様に寸法規格の統一化を行う。車両別にスペーサーやカバーでスキ間をうめる。スペーサーやカバーは見栄えのするデザインのモノ。
【００７６】
次に、図８２で示すように、小型車の場合Ａ＋Ｂの組合せとし、大型車の場合Ａ＋Ｃ＋Ｂの組合せとしてもよい。図８３で示すように、突っ張り棒みたいな長さの変わるインパネ（長さの変わる部分はクラスタなどで隠す）。図８４で示すように、加飾プレートのみの交換。インパネを回転できるようにし、加飾プレートを取り外しできるようにする。加飾プレートのみ別の車種に流用。
【００７７】
次に、図８５で示すように、必要に応じて細かく分割している。フィルムのディスプレイ。裏から色のライトで色がえ。図８６で示すように、サイドパネル有無で幅方向の寸法を調整する。図８７で示すように、後方インパネを宙に浮いた構造にしておく。
【００７８】
次に、図８８で示すように、インパネを３〜４分割して取り付け部位を共通化。Ａ〜Ｃゾーンに各パターンのパーツ。図８９で示すように、後方インパネの下側にクランプを設定して、取り外す時はクランプ３箇所を外して、引き抜いて外す（挿入は基準のピンで位置決めする）。
【００７９】
次に、図９０で示すように、凹凸のガイドを設定し、Ｈ方向にて組み付ける。Ｌ方向規制のためにツメを設定する。図９１で示すように、D席、ＣＴＲ、Ｐ席部と分けプラモデルのメカイジリを行っている感じで、樹脂の大きいスクリュネジで取り外しを可能にする。図９２で示すように、インナー（構造）とアウター（意匠）の２部品構成。クラスターを外すことなく（配線は除く）、インパネの意匠交換可能となる。
【００８０】
次に、図９３で示すように、棒のようなもので、後方インパネを固定しておき、着せかえの際は棒を抜くことで、後方インパネが外れる。図９４で示すように、後方インパネ自体をＳ／Ａとして、クラスター等を外さなくても丸ごと交換できる様にしておく。又、電気ケーブル等はまとめて１本にしておき、簡単にケーブル接続できる様にする。図９５で示すように、ドアグラブの開閉時の様にプッシュで引っ掛けが外れる脱着構造とする。
【００８１】
次に、図９６で示すように、コンソールの一部を本体に対し脱着可能な別アタッチメントととし、カップホルダの様々なホールド形状のアタッチメントを用意しておき、脱着させてアタッチメントを着せ替えしてもよい。図９７で示すように、コンソールの引き出しを本体に対し脱着可能にしておき、様々な形状の引き出しを用意しておき、脱着させて引き出しを着せ替えしてもよい。
【符号の説明】
【００８２】
１        車両
７０      インストルメントパネル（内装部材）
【図１】
2012240502.tif 000003
【図２】
2012240502.tif 000004
【図３】
2012240502.tif 000005
【図４】
2012240502.tif 000006
【図５】
2012240502.tif 000007
【図６】
2012240502.tif 000008
【図７】
2012240502.tif 000009
【図８】
2012240502.tif 000010
【図９】
2012240502.tif 000011
【図１０】
2012240502.tif 000012
【図１１】
2012240502.tif 000013
【図１２】
2012240502.tif 000014
【図１３】
2012240502.tif 000015
【図１４】
2012240502.tif 000016
【図１５】
2012240502.tif 000017
【図１６】
2012240502.tif 000018
【図１７】
2012240502.tif 000019
【図１８】
2012240502.tif 000020
【図１９】
2012240502.tif 000021
【図２０】
2012240502.tif 000022
【図２１】
2012240502.tif 000023
【図２２】
2012240502.tif 000024
【図２３】
2012240502.tif 000025
【図２４】
2012240502.tif 000026
【図２５】
2012240502.tif 000027
【図２６】
2012240502.tif 000028
【図２７】
2012240502.tif 000029
【図２８】
2012240502.tif 000030
【図２９】
2012240502.tif 000031
【図３０】
2012240502.tif 000032
【図３１】
2012240502.tif 000033
【図３２】
2012240502.tif 000034
【図３３】
2012240502.tif 000035
【図３４】
2012240502.tif 000036
【図３５】
2012240502.tif 000037
【図３６】
2012240502.tif 000038
【図３７】
2012240502.tif 000039
【図３８】
2012240502.tif 000040
【図３９】
2012240502.tif 000041
【図４０】
2012240502.tif 000042
【図４１】
2012240502.tif 000043
【図４２】
2012240502.tif 000044
【図４３】
2012240502.tif 000045
【図４４】
2012240502.tif 000046
【図４５】
2012240502.tif 000047
【図４６】
2012240502.tif 000048
【図４７】
2012240502.tif 000049
【図４８】
2012240502.tif 000050
【図４９】
2012240502.tif 000051
【図５０】
2012240502.tif 000052
【図５１】
2012240502.tif 000053
【図５２】
2012240502.tif 000054
【図５３】
2012240502.tif 000055
【図５４】
2012240502.tif 000056
【図５５】
2012240502.tif 000057
【図５６】
2012240502.tif 000058
【図５７】
2012240502.tif 000059
【図５８】
2012240502.tif 000060
【図５９】
2012240502.tif 000061
【図６０】
2012240502.tif 000062
【図６１】
2012240502.tif 000063
【図６２】
2012240502.tif 000064
【図６３】
2012240502.tif 000065
【図６４】
2012240502.tif 000066
【図６５】
2012240502.tif 000067
【図６６】
2012240502.tif 000068
【図６７】
2012240502.tif 000069
【図６８】
2012240502.tif 000070
【図６９】
2012240502.tif 000071
【図７０】
2012240502.tif 000072
【図７１】
2012240502.tif 000073
【図７２】
2012240502.tif 000074
【図７３】
2012240502.tif 000075
【図７４】
2012240502.tif 000076
【図７５】
2012240502.tif 000077
【図７６】
2012240502.tif 000078
【図７７】
2012240502.tif 000079
【図７８】
2012240502.tif 000080
【図７９】
2012240502.tif 000081
【図８０】
2012240502.tif 000082
【図８１】
2012240502.tif 000083
【図８２】
2012240502.tif 000084
【図８３】
2012240502.tif 000085
【図８４】
2012240502.tif 000086
【図８５】
2012240502.tif 000087
【図８６】
2012240502.tif 000088
【図８７】
2012240502.tif 000089
【図８８】
2012240502.tif 000090
【図８９】
2012240502.tif 000091
【図９０】
2012240502.tif 000092
【図９１】
2012240502.tif 000093
【図９２】
2012240502.tif 000094
【図９３】
2012240502.tif 000095
【図９４】
2012240502.tif 000096
【図９５】
2012240502.tif 000097
【図９６】
2012240502.tif 000098
【図９７】
2012240502.tif 000099
【図９８】
2012240502.tif 000100